(57)【要約】【課題】光源部品の落下が防止された照明器具において、光源部品の取付構造を簡易なものとし、その部品点数を少なくする。【解決手段】照明器具１は、ＬＥＤモジュール３と取付部品２とを備える。ＬＥＤモジュール３は、ＬＥＤ３５を支持する本体３１、および本体背面３１Ａに設けられた第１保持部材６０および第２保持部材７０を有する。取付部品２は、本体背面３１Ａに対向する面に第１係止部材４０および第２係止部材５０を有する。第１保持部材６０には、第１係止部材４０の一部が挿入可能であって、第１屈曲部４１と係合し、先端部４３が係止する第１挿入孔が形成され、第２保持部材７０には、第２係止部材５０の一部が挿入可能であって、第２屈曲部５１と係合する第２挿入孔が形成される。【選択図】図２
2019175878.tif 000002
【特許請求の範囲】
【請求項１】
光源を正面側に支持する本体を有する光源部品と、
前記本体を収容可能な取付部品と、
を備え、
前記本体は、
前記取付部品に設けられた電源端子台と、
前記本体の背面側に配置された開口内部に収容された前記電源端子台に接続する電源回路と、
前記本体の開口と反対側に配置されたＬＥＤの基板を有し、
モジュールカバーは、
前記本体の正面側に設けられた前記基板を含む前記本体の正面を覆うとともに透光性を有し、
前記本体の背面および前記取付部品における前記本体の背面に対向する面のいずれか一方に１枚の板状部材が折り曲げられ成形される保持部が設けられ、他方に前記保持部と対向する第１係止部材および第２係止部材が設けられ、
前記第１係止部材は、前記第１係止部材が設けられる面から前記保持部が設けられる面に向かって屈曲する第１屈曲部、前記第１屈曲部に連続し前記保持部が設けられる面に向かって延びる中間部、および、先端に形成された湾曲する先端部を有し、
前記第２係止部材は、前記第２係止部材が設けられる面から前記第１屈曲部とは反対向きに突出して前記保持部が設けられる面に向かって屈曲する第２屈曲部を有し、
前記保持部には、
第１挿入孔が形成される第１保持部材、
第２挿入孔が形成される第２保持部材、ならびに
前記第１保持部材および前記第２保持部材を連結し、第３挿入孔が形成される連結保持部材と、が設けられ、
前記中間部に連続する前記第１係止部材の前記先端部が、前記第１挿入孔と前記第３挿入孔に挿入されることにより、前記本体が前記取付部品にぶらさがり、
前記第１挿入孔に前記第１屈曲部が挿入され、前記第２挿入孔に前記第２屈曲部が挿入されることにより、前記本体が前記取付部品に取り付けられ、
前記光源部品および前記取付部品はそれぞれ、前記保持部または前記第１係止部材および前記第２係止部材を２組備えた、
ことを特徴とする照明器具。
【請求項２】
前記連結保持部材において、前記第２係止部材が挿入される第４挿入孔がさらに設けられることを特徴とする請求項１に記載の照明器具。
【請求項３】
前記先端部は、前記中間部から前記第１屈曲部の突出する側に湾曲し、前記第１係止部材が設けられる面に向かって屈曲することを特徴とする請求項１または２に記載の照明器具。
【請求項４】
前記第１屈曲部は前記第２係止部材とは反対側に突出し、
前記第２屈曲部は前記第１係止部材とは反対側に突出する、
ことを特徴とする請求項１ないし３のいずれか１項に記載の照明器具。
【請求項５】
前記第１係止部材および前記第２係止部材は、１つの板状部材が折り曲げられて成形されることを特徴とする請求項１ないし４のいずれか１項に記載の照明器具。
【請求項６】
前記ＬＥＤは白色ＬＥＤまたは赤色、青色、緑色の組み合わせからなるＬＥＤで構成され平面略長方形状の基板に、ほぼ等間隔に実装されていることを特徴とする請求項１ないし５のいずれか１項に記載の照明器具。
【請求項７】
前記電源回路は前記電源端子台から電力供給を受け前記ＬＥＤに印加する電圧を制御する回路であって前記ＬＥＤの点灯を制御するとともに前記ＬＥＤモジュール３の調光、調色を可能とするとともに、昼白色、白色、電球色等の調色を行うことを特徴とする請求項１ないし６のいずれか１項に記載の照明器具。
【発明の詳細な説明】
【技術分野】
【０００１】
本発明は、照明器具、照明器具の取付部品に取付可能な光源部品、および照明器具の光源部品が取付可能な取付部品に関する。
【背景技術】
【０００２】
照明器具への光源部品（ランプ等）の取付には、様々な方式が採用されている。例えば、直管ＬＥＤ（Light Emitting Diode）ランプの照明器具には、一般社団法人日本電球工業会規格（ＪＥＬ８０１：２０１０）に準拠した口金によって、直管ＬＥＤランプを照明器具に取り付けるものがある（非特許文献１）。この照明器具は、直管ＬＥＤランプ側面に配置された口金によって、直管ＬＥＤランプが保持されるとともに給電が行われる。この口金は、直管ＬＥＤランプの誤挿入と落下を防止して、安全性を確保している。
【０００３】
また、半円筒形状のＬＥＤランプの照明器具には、係止部材およびフックにより、ＬＥＤランプを照明器具に取り付けるものがある。特許文献１には、背面に係止部材が設けられた半円筒形状のＬＥＤランプと、係止穴が形成された照明器具本体とを備える照明器具が記載されている。係止部材は、略菱形に折り曲げられた金属の線材で構成され、照明器具本体の係止穴に差し込まれて係止穴の縁に係止する。係止穴にはフックが形成され、係止部材がこのフックに引っ掛かることによりＬＥＤランプの落下が防止される。ＬＥＤランプへの給電は、ＬＥＤランプの背面に設けられた給電用コネクタによって行われる。
【先行技術文献】
【特許文献】
【０００４】
【特許文献１】特開２０１２−１８５９８１号公報
【非特許文献】
【０００５】
【非特許文献１】「ライティング・フェア２０１３配布版  照明器具・ランプ  ＬＥＤ照明・省エネ照明」、ＮＥＣライティング株式会社、２０１３年３月発行、Ｐ５
【発明の概要】
【発明が解決しようとする課題】
【０００６】
上記の照明器具は、光源部品の落下が防止されているが、光源部品を照明器具本体に取り付けるための構造が複雑で、その部品点数も多い。例えば、非特許文献１に記載の照明器具では、給電用ピンが設けられた口金と、接地用ピンが設けられた口金とを、ＬＥＤランプの両側に設け、それらの口金を保持し、かつ各ピンに接続可能なソケットを照明器具本体に設ける必要がある。また、特許文献１に記載のＬＥＤランプでは、線材で構成される係止手段と、係止手段をＬＥＤランプに固定するための２つのブラケットとをＬＥＤランプに設け、照明器具本体に係止穴を形成し、係止穴を跨ぐフックを設ける必要がある。
【０００７】
本発明は、上記事情に鑑みてなされたものであり、光源部品の落下が防止された照明器具において、光源部品の取付構造を簡易なものとし、その部品点数を少なくすることを目的とする。
【課題を解決するための手段】
【０００８】
本発明の第１の観点に係る照明器具は、
光源を正面側に支持する本体を有する光源部品と、
前記本体を収容可能な取付部品と、
を備え、
前記本体は、
前記取付部品に設けられた電源端子台と、
前記本体の背面側に配置された開口内部に収容された前記電源端子台に接続する電源回路と、
前記本体の開口と反対側に配置されたＬＥＤの基板を有し、
モジュールカバーは、
前記本体の正面側に設けられた前記基板を含む前記本体の正面を覆うとともに透光性を有し、
前記本体の背面および前記取付部品における前記本体の背面に対向する面のいずれか一方に１枚の板状部材が折り曲げられ成形される保持部が設けられ、他方に前記保持部と対向する第１係止部材および第２係止部材が設けられ、
前記第１係止部材は、前記第１係止部材が設けられる面から前記保持部が設けられる面に向かって屈曲する第１屈曲部、前記第１屈曲部に連続し前記保持部が設けられる面に向かって延びる中間部、および、先端に形成された湾曲する先端部を有し、
前記第２係止部材は、前記第２係止部材が設けられる面から前記第１屈曲部とは反対向きに突出して前記保持部が設けられる面に向かって屈曲する第２屈曲部を有し、
前記保持部には、
第１挿入孔が形成される第１保持部材、
第２挿入孔が形成される第２保持部材、ならびに
前記第１保持部材および前記第２保持部材を連結し、第３挿入孔が形成される連結保持部材と、が設けられ、
前記中間部に連続する前記第１係止部材の前記先端部が、前記第１挿入孔と前記第３挿入孔に挿入されることにより、前記本体が前記取付部品にぶらさがり、
前記第１挿入孔に前記第１屈曲部が挿入され、前記第２挿入孔に前記第２屈曲部が挿入されることにより、前記本体が前記取付部品に取り付けられ、
前記光源部品および前記取付部品はそれぞれ、前記保持部または前記第１係止部材および前記第２係止部材を２組備えた、
ことを特徴とする。
【０００９】
本発明の第２の観点に係る光源部品は、
第１の観点に係る照明器具の取付部品に取付可能な光源部品であって、
前記本体の背面および前記取付部品における前記本体の背面に対向する面のいずれか一方に１枚の板状部材が折り曲げられ成形される保持部が設けられ、他方に前記保持部と対向する第１係止部材および第２係止部材が設けられ、
前記第１係止部材は、前記第１係止部材が設けられる面から前記保持部が設けられる面に向かって屈曲する第１屈曲部、前記第１屈曲部に連続し前記保持部が設けられる面に向かって延びる中間部、および、先端に形成された湾曲する先端部を有し、
前記第２係止部材は、前記第２係止部材が設けられる面から前記第１屈曲部とは反対向きに突出して前記保持部が設けられる面に向かって屈曲する第２屈曲部を有し、
前記保持部には、
第１挿入孔が形成される第１保持部材、
第２挿入孔が形成される第２保持部材、ならびに
前記第１保持部材および前記第２保持部材を連結し、第３挿入孔が形成される連結保持部材と、が設けられ、
前記中間部に連続する前記第１係止部材の前記先端部が、前記第１挿入孔と前記第３挿入孔に挿入されることにより、前記本体が前記取付部品にぶらさがり、
前記第１挿入孔に前記第１屈曲部が挿入され、前記第２挿入孔に前記第２屈曲部が挿入されることにより、前記本体が前記取付部品に取り付けられ、
前記光源部品および前記取付部品はそれぞれ、前記保持部または前記第１係止部材および前記第２係止部材を２組備え、
前記光源部品または前記取付部品の長手方向の中心から前記保持部または前記第１係止部材および前記第２係止部材の一方の組への距離と、該中心から前記保持部または前記第１係止部材および前記第２係止部材の他方の組への距離とが異なるとともに、
電源回路が２つの前記保持部の間に設けられた、
ことを特徴とする。
【００１０】
本発明の第３の観点に係る取付部品は、
第１の観点に係る照明器具の光源部品が取付可能な取付部品であって、
光源を正面側に支持する本体を有する光源部品と、
前記本体を収容可能な取付部品と、
を備え、
前記本体の背面および前記取付部品における前記本体の背面に対向する面のいずれか一方に１枚の板状部材が折り曲げられ成形される保持部が設けられ、他方に前記保持部と対向する第１係止部材および第２係止部材が設けられ、
前記第１係止部材は、前記第１係止部材が設けられる面から前記保持部が設けられる面に向かって屈曲する第１屈曲部、前記第１屈曲部に連続し前記保持部が設けられる面に向かって延びる中間部、および、先端に形成された湾曲する先端部を有し、
前記第２係止部材は、前記第２係止部材が設けられる面から前記第１屈曲部とは反対向きに突出して前記保持部が設けられる面に向かって屈曲する第２屈曲部を有し、
前記保持部には、
第１挿入孔が形成される第１保持部材、
第２挿入孔が形成される第２保持部材、ならびに
前記第１保持部材および前記第２保持部材を連結し、第３挿入孔が形成される連結保持部材と、が設けられ、
前記中間部に連続する前記第１係止部材の前記先端部が、前記第１挿入孔と前記第３挿入孔に挿入されることにより、前記本体が前記取付部品にぶらさがり、
前記第１挿入孔に前記第１屈曲部が挿入され、前記第２挿入孔に前記第２屈曲部が挿入されることにより、前記本体が前記取付部品に取り付けられ、
前記光源部品および前記取付部品はそれぞれ、前記保持部または前記第１係止部材および前記第２係止部材を２組備え、
前記光源部品または前記取付部品の長手方向の中心から前記保持部または前記第１係止部材および前記第２係止部材の一方の組への距離と、該中心から前記保持部または前記第１係止部材および前記第２係止部材の他方の組への距離とが異なる、
ことを特徴とする。
【発明の効果】
【００１１】
本発明によれば、光源部品の落下が防止された照明器具において、光源部品の取付構造を簡易なものとし、その部品点数を少なくすることが可能である。
【図面の簡単な説明】
【００１２】
【図１】本発明の実施の形態１に係る照明器具を示す平面図、正面図、側面図である。（Ａ）が平面図、（Ｂ）が正面図、（Ｃ）が側面図である。
【図２】図１に示す照明器具のＡ−Ａ線の断面図である。
【図３】実施の形態１に係る取付部品を示す斜視図である。
【図４】実施の形態１に係る取付部品の第１係止部材および第２係止部材を示す斜視図である。
【図５】実施の形態１に係る第１係止部材および第２係止部材を示す斜視図である。
【図６】実施の形態１に係る第１係止部材および第２係止部材を示す平面図、正面図、底面図、左側面図、右側面図である。（Ａ）が平面図、（Ｂ）が正面図、（Ｃ）が底面図、（Ｄ）が左側面図、（Ｅ）が右側面図である。
【図７】実施の形態１に係るＬＥＤモジュールを示す斜視図である。
【図８】実施の形態１に係るＬＥＤモジュールの第１保持部材および第２保持部材を示す斜視図である。
【図９】実施の形態１に係る第１保持部材および第２保持部材を示す斜視図である。
【図１０】実施の形態１に係る第１保持部材および第２保持部材を示す平面図、正面図、左側面図、右側面図である。（Ａ）が平面図、（Ｂ）が正面図、（Ｃ）が左側面図、（Ｄ）が右側面図である。
【図１１】図１０に示す第１保持部材および第２保持部材のＢ−Ｂ線の断面図である。
【図１２】実施の形態１に係る照明器具を示す斜視図である。
【図１３】実施の形態１に係る照明器具の組立方法を示す断面図である。
【図１４】実施の形態１に係る照明器具の組立方法を示す断面図である。
【図１５】実施の形態１に係る照明器具の他の構成を示す図である。
【図１６】本発明の実施の形態２に係る照明器具の組立方法を示す断面図である。
【図１７】実施の形態２に係る照明器具の組立方法を示す断面図である。
【図１８】本発明の実施の形態３に係る照明器具の組立方法を示す断面図である。
【図１９】実施の形態３に係る照明器具の組立方法を示す断面図である。
【図２０】本発明の実施の形態４に係る照明器具の組立方法を示す断面図である。
【図２１】実施の形態４に係る照明器具の組立方法を示す断面図である。
【発明を実施するための形態】
【００１３】
以下、本発明の実施の形態について図面を参照して詳細に説明する。なお図中、同一または同等の部分には同一の符号を付す。
【００１４】
（実施の形態１）
図１は、本発明の実施の形態１に係る照明器具を示す平面図、正面図、側面図である。
（Ａ）が平面図、（Ｂ）が正面図、（Ｃ）が側面図である。図１に示すように、実施の形態１に係る照明器具１は、取付部品２とＬＥＤモジュール３とを備えている。取付部品２は天井などの照明器具１の設置場所に固定され、ＬＥＤモジュール３が取り付けられた後、これを保持する部品である。取付部品２は、照明器具本体、搭載器具等の名称で呼ばれる部品である。ＬＥＤモジュール３は、照明器具１の光源を構成する光源部品であり、光源モジュール、光源ユニット等の名称で呼ばれる部品である。
【００１５】
取付部品２は、底面長方形かつ断面台形の形状に形成され、その中央にＬＥＤモジュール３が配置されている。ＬＥＤモジュール３は、略直方体の形状に形成されている。以下、取付部品２とＬＥＤモジュール３の構造について断面図を参照しながら説明する。
【００１６】
図２は、図１に示す照明器具のＡ−Ａ線の断面図である。図２は、照明器具１が天井９に設置された状態を示す。照明器具１が天井９に設置された状態で、鉛直方向（設置面に垂直な方向）をＺ軸と定める。Ａ−Ａ線断面に直交する方向（図１でＬＥＤモジュール３の長辺方向）をＸ軸、Ａ−Ａ線断面内でＺ軸に直交する方向（図１でＬＥＤモジュール３の短辺方向）をＹ軸と定める。照明器具１が天井９に設置された状態で、ＸＹ平面は水平面である。図２に示す取付部品２は、板状部材（例えば、板金）が折り曲げられることにより形成されている。取付部品２は、端から、ベース部２９、反射板２８、ＬＥＤモジュール取付部２１、反射板２８、ベース部２９の順で、各構造物が配置されている。取付部品２は、建物の天井９に器具取付具２７によって固定されている。
【００１７】
器具取付具２７は、取付部品２を照明器具１の設置場所に取り付けるための部材である。器具取付具２７は、締結具（ボルトおよびナット等）で構成される。
【００１８】
ベース部２９は、照明器具１の設置場所（天井９等）に設置可能な設置面を構成する部材である。ベース部２９が設置場所に当接した状態で、取付部品２は器具取付具２７によって設置場所に固定される。
【００１９】
反射板２８は、白色塗料等が塗装されて形成され、ＬＥＤモジュール３からの光を照明器具１正面側に反射する。反射板２８は、ＬＥＤモジュール取付部２１の両側の傾斜面に配置される。
【００２０】
ＬＥＤモジュール取付部２１は、ＬＥＤモジュール３が嵌め込まれる凹部構造である。ＬＥＤモジュール取付部２１の底面とＬＥＤモジュール３の本体背面３１Ａが、ＬＥＤモジュール３がＬＥＤモジュール取付部２１に嵌め込まれる際に対向する。図２の例では、器具取付具２７は、天井９に埋め込まれたボルトである。ボルトを通す孔がモジュール取付部２１の底面に形成されている。ボルトを孔に通してナットで締め付けてＬＥＤモジュール取付部２１を天井９に固定する。ＬＥＤモジュール取付部２１の内側には、ＬＥＤモジュール３に電力を供給するための電源端子台（図示せず）が収容される。電源端子台は、外部電源（商用電源）の電力線を接続する端子を備え、コネクタが接続されている。電源端子台に接続されているコネクタを、後述する電源回路３６に接続されているコネクタに接続することにより、電源端子台は電源回路３６に電力を供給する。
【００２１】
ＬＥＤモジュール取付部２１には、第１係止部材４０および第２係止部材５０が設けられている。第１係止部材４０および第２係止部材５０と、後述するＬＥＤモジュール３が備える、第１係止部材４０と対向する第１保持部材６０および第２係止部材５０と対向する第２保持部材７０とがそれぞれ係合する。
【００２２】
ＬＥＤモジュール３は、ＬＥＤ３５と、電源回路３６と、モジュールカバー３７と、本体３１とで構成されている。本体３１は、ＬＥＤ３５を正面側に保持する。ＬＥＤモジュール３の本体背面３１Ａには、第１保持部材６０および第２保持部材７０が設けられる。
【００２３】
ＬＥＤ３５は、白色ＬＥＤまたは赤色、青色、緑色の組み合わせからなるＬＥＤで構成される。ＬＥＤモジュール３では、複数のＬＥＤ３５が用いられている。ＬＥＤ３５は、平面略長方形状の基板３５１に、ほぼ等間隔に実装される。
【００２４】
電源回路３６は、ＬＥＤ３５に印加する電圧を制御する回路であり、ＬＥＤ３５の点灯を制御する。電源回路３６の制御は、ＬＥＤモジュール３の調光、調色を可能とする。電源回路３６は、例えば、昼白色、白色、電球色等の調色を行う。電源回路３６は電源端子台から電力供給を受ける。
【００２５】
モジュールカバー３７は、ＬＥＤ３５を覆うカバーであり、グローブ等の名称で呼ばれる部品である。モジュールカバー３７は、例えば、透光性の樹脂材料（例えば、アクリル樹脂）によって中空でかつ、開口を有する略直方体状に形成される。モジュールカバー３７は、開口側が本体正面３１Ｂに向けられた状態で、本体３１に固定される。モジュールカバー３７の開口内にはＬＥＤ３５が実装された基板３５１が配置される。モジュールカバー３７は、ＬＥＤ３５を保護するとともにＬＥＤ３５からの光を拡散する。
【００２６】
本体３１は、モジュールカバー３７を支持し、電源回路３６を収容する筐体である。本体３１は、開口を有する、正面略長方形の略直方体形状に形成されている。本体３１は、本体背面３１Ａ側に開口が配置され、開口内部に電源回路３６が収容される。本体３１の開口と反対側には、ＬＥＤ３５の基板３５１が配置される。第１保持部材６０および第２保持部材７０がそれぞれ、第１係止部材４０および第２係止部材５０と係合することで、本体３１は、取付部品２に取り付けられる。
【００２７】
第１係止部材４０および第２係止部材５０は、ＬＥＤモジュール３を取付部品２に取り付けるための接続具である。ＬＥＤモジュール３の本体背面３１Ａが取付部品２側に向けられた状態で、第１係止部材４０および第２係止部材５０がそれぞれ、後述する、第１保持部材６０に形成された第１挿入孔および第２保持部材７０に形成された第２挿入孔に挿入されて、ＬＥＤモジュール３が取付部品２に取り付けられる。以下に、取付部品２の第１係止部材４０および第２係止部材５０について説明する。
【００２８】
図３は、実施の形態１に係る取付部品を示す斜視図である。取付部品２は、ＬＥＤモジュール取付部２１の底面に、本体背面３１Ａに向かって突出する第１係止部材４０および第２係止部材５０を備えている。取付部品２全体では、２組の第１係止部材４０および第２係止部材５０が配置されている。図３の例では、取付部品２の長手方向の中心から第１係止部材４０および第２係止部材５０の一方の組への距離と、該中心から第１係止部材４０および第２係止部材５０の他方の組への距離とが異なる。このことにより、作業者がＬＥＤモジュール３を誤った方向に向けて取付部品２に取り付けることを防止することが可能となる。
【００２９】
図４は、実施の形態１に係る取付部品の第１係止部材および第２係止部材を示す斜視図である。第１係止部材４０および第２係止部材５０の少なくとも一方は、第１係止部材４０と第２係止部材５０が対向する方向（図２のＹ軸方向）からの押圧により弾性変形する。第１係止部材４０は、ＬＥＤモジュール取付部２１の底面の向きから本体背面３１Ａに向かって屈曲する第１屈曲部４１と、第１屈曲部４１に連続し本体背面３１Ａに向かって延びる中間部４２と、先端に形成された、後述する第１保持部材６０に係止する形状を有する先端部４３とを有する形状に形成されている。先端部４３は、中間部４２から第１屈曲部４１の突出する側に湾曲し、ＬＥＤモジュール取付部２１の底面に向かって屈曲する。
【００３０】
図４の例では、第１係止部材４０はＬＥＤモジュール取付部２１の底面から本体背面３１Ａに向かって延び、第１屈曲部４１において、ＬＥＤモジュール取付部２１の底面の向きから第２係止部材５０とは反対側に突出して本体背面３１Ａに向かって円弧状に屈曲する。第２係止部材５０とは反対側に突出するというのは、第１屈曲部４１の湾曲している部分が第２係止部材５０とは反対側に凸になっていることを意味する。また第１係止部材４０は、先端部４３において、第２係止部材５０とは反対側に湾曲し、ＬＥＤモジュール取付部２１の底面に向かって円弧状に屈曲する。
【００３１】
第２係止部材５０は、ＬＥＤモジュール取付部２１の底面の向きから本体背面３１Ａに向かって屈曲する第２屈曲部５１を有する形状に形成されている。第２屈曲部５１は、第１屈曲部４１とは反対向きに突出する。図４の例では、第１屈曲部４１は第２係止部材５０とは反対側に突出し、第２屈曲部５１は第１係止部材４０とは反対側に突出する。すなわち、第２屈曲部５１の湾曲している部分は第１係止部材４０とは反対側に凸になっている。また図４の例では、第２係止部材５０はＬＥＤモジュール取付部２１の底面から本体背面３１Ａに向かって延び、第２屈曲部５１において、ＬＥＤモジュール取付部２１の底面の向きから第１係止部材４０とは反対側に突出して本体背面３１Ａに向かって円弧状に屈曲する。
【００３２】
図５は、実施の形態１に係る第１係止部材および第２係止部材を示す斜視図である。図６は、実施の形態１に係る第１係止部材および第２係止部材を示す平面図、正面図、底面図、左側面図、右側面図である。（Ａ）が平面図、（Ｂ）が正面図、（Ｃ）が底面図、（Ｄ）が左側面図、（Ｅ）が右側面図である。図３ないし図６の例では、第１係止部材４０および第２係止部材５０は、一枚の板状部材（例えば、ステンレス、ばね鋼等の金属板）が折り曲げられて一体に成形されている。端から順に、第１係止部材４０、係止連結部４５、第２係止部材５０が形成されており、第１係止部材４０および第２係止部材５０は、図４に示すように係止連結部４５において留め具４６により取付部品２に固定される。一体成形されているため、第１係止部材４０および第２係止部材５０を取付部品２に取り付ける取付具の部品点数を少なくすることができ、照明器具１の部品点数の削減につながる。以下に、ＬＥＤモジュール３の第１保持部材６０および第２保持部材７０について説明する。
【００３３】
図７は、実施の形態１に係るＬＥＤモジュールを示す斜視図である。図７に示すように、ＬＥＤモジュール３の本体背面３１Ａに、第１保持部材６０および第２保持部材７０が設けられている。第１保持部材６０に第１挿入孔６１、第２保持部材７０に第２挿入孔７１がそれぞれ形成されている。第１保持部材６０および第２保持部材７０は、本体背面３１ＡからＬＥＤモジュール取付部２１の底面に向かって突出している。ＬＥＤモジュール３全体では、２組の第１保持部材６０および第２保持部材７０が配置されている。
【００３４】
図８は、実施の形態１に係るＬＥＤモジュールの第１保持部材および第２保持部材を示す斜視図である。図８の例では、第１保持部材６０に第１挿入孔６１が形成され、第２保持部材７０に第２挿入孔７１が形成されている。第１保持部材６０と第２保持部材７０を連結する保持連結部６５においては、第１保持部材６０の近傍に第３挿入孔７４が形成され、第２保持部材７０の近傍に第４挿入孔７５が形成されている。
【００３５】
第１挿入孔６１、第２挿入孔７１、第３挿入孔７４および第４挿入孔７５は、略長方形状の開口を有する形状に形成されている。第１挿入孔６１および第２挿入孔７１の開口の各辺は、取付部品２を天井９に設置した図２に示す状態で、Ｚ方向またはＸ方向に向いている。また第１挿入孔６１および第２挿入孔７１のそれぞれの大きさは、第１屈曲部４１および第２屈曲部５１が挿入可能な大きさである。第３挿入孔７４および第４挿入孔７５の開口の各辺は、取付部品２を天井９に設置した図２に示す状態で、Ｙ方向またはＺ方向に向いている。また第３挿入孔７４の大きさは、先端部４３、中間部４２および第１屈曲部４１が挿入可能な大きさである。第４挿入孔７５の大きさは、第２屈曲部５１が挿入可能な大きさである。
【００３６】
図９は、実施の形態１に係る第１保持部材および第２保持部材を示す斜視図である。図１０は、実施の形態１に係る第１保持部材および第２保持部材を示す平面図、正面図、左側面図、右側面図である。（Ａ）が平面図、（Ｂ）が正面図、（Ｃ）が左側面図、（Ｄ）が右側面図である。図１１は、図１０に示す第１保持部材および第２保持部材のＢ−Ｂ線の断面図である。図７ないし図１１の例では、第１保持部材６０および第２保持部材７０は、一枚の板状部材（例えば、ステンレス、ばね鋼等の金属板）が折り曲げられて一体に成形されている。端から、第１保持部材６０、保持連結部６５、第２保持部材７０が形成されている。一体成形することで、第１保持部材６０および第２保持部材７０の機械的強度を高めることが可能となる。
【００３７】
図８の例では、第１保持部材６０の先端係止部６２および第２保持部材７０の先端係止部７２がそれぞれ、本体背面３１Ａに設けられた孔に挿入され、第１保持部材６０および第２保持部材７０はそれぞれ、留め具６３、７３によって、本体背面３１Ａに固定される。
【００３８】
第１係止部材４０および第２係止部材５０の幅（図４、図５に示すＤ１）は、第１挿入孔６１および第２挿入孔７１のＸ軸方向の幅（図８、図９に示すＤ２）とほぼ同じであり、Ｄ２＞Ｄ１が成り立つ。これにより、第１係止部材４０が第１挿入孔６１に係合し、第２係止部材５０が第２挿入孔７１に係合することが可能となる。
【００３９】
図４、図８を用いて、第１係止部材４０が第１保持部材６０と係合し、第２係止部材５０が第２保持部材７０と係合することについて説明する。第１係止部材４０の先端部４３は第３挿入孔７４を経由して第１挿入孔６１に挿入され、第１挿入孔６１に係止する。また第１係止部材４０の第１屈曲部４１は、第３挿入孔７４を経由して第１挿入孔６１に挿入される。第１係止部材４０は、弾性変形することにより、第１挿入孔６１に挿入可能かつ嵌合可能である。第１係止部材４０の第１屈曲部４１が第１挿入孔６１に挿入されると、第１係止部材４０は、もとの形状に復元しようとする復元力によって第１挿入孔６１の開口側面を押す。これにより、第１係止部材４０は、第１挿入孔６１に係止可能である。
【００４０】
第２係止部材５０の第２屈曲部５１は第４挿入孔７５を経由して第２挿入孔７１に挿入される。第２係止部材５０は、弾性変形することにより、第２挿入孔７１に挿入可能かつ嵌合可能である。第２係止部材５０の第２屈曲部５１が第２挿入孔７１に挿入されると、第２係止部材５０は、もとの形状に復元しようとする復元力によって第２挿入孔７１の開口側面を押す。これにより、第２係止部材５０は、第２挿入孔７１に係止可能である。
【００４１】
第１係止部材４０が第１挿入孔６１に係合し、第２係止部材５０が第２挿入孔７１に係合して、ＬＥＤモジュール３が取付部品２に収容される。第１屈曲部４１が第１挿入孔６１と係合し、第２屈曲部５１が第２挿入孔７１と係合するので、取付部品２からのＬＥＤモジュール３の脱落を防ぐことが可能である。
【００４２】
図１２は、実施の形態１に係る照明器具を示す斜視図である。上述の通り、第１係止部材４０の先端部４３を第３挿入孔７４および第１挿入孔６１に挿入する。先端部４３は屈曲しているため、図１２に示すように、第１係止部材４０が第１保持部材６０に先端部４３で係止し、ＬＥＤモジュール３は、取付部品２にぶら下がった状態となる。この状態で、ＬＥＤモジュール３の落下が防止される。
【００４３】
以下に、取付部品２とＬＥＤモジュール３とを用いて照明器具１を組み立てる方法について説明する。
【００４４】
図１３および図１４は、実施の形態１に係る照明器具の組立方法を示す断面図である。図１３（Ａ）に示す状態から、第１係止部材４０の先端部４３を第１保持部材６０の第３挿入孔７４および第１挿入孔６１に挿入する。先端部４３は屈曲しているため、図１３（Ｂ）に示すように、第１係止部材４０が第１保持部材６０に先端部４３で係止し、ＬＥＤモジュール３は、取付部品２にぶら下がった状態となる。この状態で、ＬＥＤモジュール３の落下が防止される。作業者はＬＥＤモジュール３を手で支える必要がない。作業者は、電源端子台に接続されているコネクタと、電源回路３６に接続されているコネクタとを接続する。
【００４５】
次いで、図１３（Ｃ）に示すように、ＬＥＤモジュール３をＬＥＤモジュール取付部２１側に持ち上げ、第１係止部材４０の第１屈曲部４１を第３挿入孔７４に挿入し、第２係止部材５０の先端部分を第４挿入孔７５に挿入する。図１３（Ｃ）に示すように第１係止部材４０の一部は第１保持部材６０と当接し、第１保持部材６０から押圧され、弾性変形する。
【００４６】
さらに、ＬＥＤモジュール３を持ち上げ、図１４（Ａ）に示すように、第２係止部材５０の第２屈曲部５１を第４挿入孔７５に挿入する。図１４（Ａ）に示すように第２係止部材５０の一部は第２保持部材７０と当接し、第２保持部材７０から押圧され、弾性変形する。
【００４７】
さらに、ＬＥＤモジュール３を持ち上げると、第１係止部材４０および第２係止部材５０はそれぞれ、弾性変形した状態から解放され、図１４（Ｂ）に示すように、第１係止部材４０は第１保持部材６０に形成された第１挿入孔６１と係合し、第２係止部材５０は第２保持部材７０に形成された第２挿入孔７１と係合する。以上により、照明器具１の組立が完了する。
【００４８】
以上のように、本実施の形態に係る照明器具１においては、第１係止部材４０および第２係止部材５０が取付部品２に、第１挿入孔６１が形成された第１保持部材６０および第２挿入孔７１が形成された第２保持部材７０がＬＥＤモジュール３に、それぞれ設けられている。この照明器具１によれば、第１係止部材４０および第２係止部材５０を弾性変形させて、ＬＥＤモジュール取付部２１にＬＥＤモジュール３を取付可能である。
【００４９】
この実施の形態によれば、取付部品２へのＬＥＤモジュール３の取付構造が容易であり、部品点数が少ない照明器具１が提供可能である。例えば、第１係止部材４０および第２係止部材５０は、１つの板状部材が折り曲げられて成形されているので、照明器具１は部品点数が少ない。
【００５０】
また第１係止部材４０および第２係止部材５０のＺ軸方向の高さは、取付部品２の凹部のＺ軸方向の高さより低いため、例えば輸送時などに破損する可能性が低くなり、取り扱いが容易である。
【００５１】
図１５は、実施の形態１に係る照明器具の他の構成を示す図である。実施の形態１に係る照明器具１の構成例は図２に限られない。例えば図１５のようにＬＥＤモジュール３の本体３１の側面方向のスペースの少ない設置箇所に設置することも可能である。取付部品２の側面に反射板２８が設けられない照明器具１についても、ＬＥＤモジュール３が取付部品２から落下することを防止できる。
【００５２】
（実施の形態２）
本発明の実施の形態２に係る照明器具１においては、取付部品２が第１保持部材６０および第２保持部材７０を備え、ＬＥＤモジュール３が第１係止部材４０および第２係止部材５０を備える。以下に、実施の形態２に係る照明器具１の組立方法について説明する。
【００５３】
図１６および図１７は、本発明の実施の形態２に係る照明器具の組立方法を示す断面図である。図１６（Ａ）に示す状態から、第１係止部材４０の先端部４３を第１保持部材６０の第３挿入孔７４および第１挿入孔６１に挿入する。先端部４３は屈曲しているため、図１６（Ｂ）に示すように、第１係止部材４０が第１保持部材６０に先端部４３で係止し、ＬＥＤモジュール３は、取付部品２にぶら下がった状態となる。この状態で、ＬＥＤモジュール３の落下が防止される。
【００５４】
次いで、図１６（Ｃ）に示すように、ＬＥＤモジュール３をＬＥＤモジュール取付部２１側に持ち上げ、第１係止部材４０の第１屈曲部４１を第３挿入孔７４に挿入し、第２係止部材５０の先端部分を第４挿入孔７５に挿入する。図１６（Ｃ）に示すように第１係止部材４０の一部は第１保持部材６０と当接し、第１保持部材６０から押圧され、弾性変形する。
【００５５】
さらに、ＬＥＤモジュール３を持ち上げ、図１７（Ａ）に示すように、第２係止部材５０の第２屈曲部５１を第４挿入孔７５に挿入する。図１７（Ａ）に示すように第２係止部材５０の一部は第２保持部材７０と当接し、第２保持部材７０から押圧され、弾性変形する。
【００５６】
さらに、ＬＥＤモジュール３を持ち上げると、第１係止部材４０および第２係止部材５０はそれぞれ、弾性変形した状態から解放され、図１７（Ｂ）に示すように、第１係止部材４０は第１挿入孔６１と係合し、第２係止部材５０は第２挿入孔７１と係合する。以上により、照明器具１の組立が完了する。
【００５７】
以上のように、本実施の形態に係る照明器具１においては、第１挿入孔６１が形成された第１保持部材６０および第２挿入孔７１が形成された第２保持部材７０が取付部品２に、第１係止部材４０および第２係止部材５０がＬＥＤモジュール３に、それぞれ設けられている。この照明器具１によれば、第１係止部材４０および第２係止部材５０を弾性変形させて、ＬＥＤモジュール取付部２１にＬＥＤモジュール３を取付可能である。
【００５８】
この実施の形態によれば、取付部品２へのＬＥＤモジュール３の取付構造が容易であり、部品点数が少ない照明器具１が提供可能である。
【００５９】
（実施の形態３）
本発明の実施の形態３に係る照明器具１は、実施の形態１に係る照明器具１と異なる、第１係止部材４０および第２係止部材５０を備える。実施の形態３に係る第１係止部材４０はＬＥＤモジュール取付部２１の底面から本体背面３１Ａに向かって延び、第１屈曲部４１において、ＬＥＤモジュール取付部２１の底面の向きから第２係止部材５０側に突出して本体背面３１Ａに向かって円弧状に屈曲する。また第１係止部材４０は、先端部４３において、第２係止部材５０側に湾曲し、ＬＥＤモジュール取付部２１の底面に向かって円弧状に屈曲する。
【００６０】
実施の形態３に係る第２係止部材５０はＬＥＤモジュール取付部２１の底面から本体背面３１Ａに向かって延び、第２屈曲部５１において、ＬＥＤモジュール取付部２１の底面の向きから第１係止部材４０側に突出して本体背面３１Ａに向かって円弧状に屈曲する。すなわち、実施の形態３に係る第１係止部材４０および第２係止部材５０はそれぞれ、実施の形態１に係る第１係止部材４０および第２係止部材５０をＺ軸を基準にして反転させた形状である。以下に、照明器具１の組立方法について説明する。
【００６１】
図１８および図１９は、本発明の実施の形態３に係る照明器具の組立方法を示す断面図である。図１８（Ａ）に示す状態から、第１係止部材４０の先端部４３を第１保持部材６０の第１挿入孔６１および第３挿入孔７４に挿入する。実施の形態１においては、第１係止部材４０を第２保持部材７０側から第１挿入孔６１に挿入したが、実施の形態３においては、逆の方向、すなわち第１保持部材６０から第２保持部材７０に向かう方向に、第１係止部材４０を第１挿入孔６１に挿入する。先端部４３は屈曲しているため、図１８（Ｂ）に示すように、第１係止部材４０が第１保持部材６０に先端部４３で係止し、ＬＥＤモジュール３は、取付部品２にぶら下がった状態となる。この状態で、ＬＥＤモジュール３の落下が防止される。
【００６２】
次いで、図１８（Ｃ）に示すように、ＬＥＤモジュール３をＬＥＤモジュール取付部２１側に持ち上げ、第１係止部材４０の第１屈曲部４１を第１挿入孔６１に挿入する。図１８（Ｃ）に示すように第１係止部材４０の一部は第１保持部材６０と当接し、第１保持部材６０から押圧され、弾性変形する。
【００６３】
さらに、ＬＥＤモジュール３を持ち上げ、図１９（Ａ）に示すように、第２係止部材５０の第２屈曲部５１を第２挿入孔７１に挿入する。図１９（Ａ）に示すように第２係止部材５０の一部は第２保持部材７０と当接し、第２保持部材７０から押圧され、弾性変形する。
【００６４】
さらに、ＬＥＤモジュール３を持ち上げると、第１係止部材４０および第２係止部材５０はそれぞれ、弾性変形した状態から解放され、図１９（Ｂ）に示すように、第１係止部材４０は第１挿入孔６１と係合し、第２係止部材５０は第２挿入孔７１と係合する。以上により、照明器具１の組立が完了する。
【００６５】
以上のように、本実施の形態に係る照明器具１においては、第１係止部材４０および第２係止部材５０が取付部品２に、第１挿入孔６１が形成された第１保持部材６０および第２挿入孔７１が形成された第２保持部材７０がＬＥＤモジュール３に、それぞれ設けられている。この照明器具１によれば、第１係止部材４０および第２係止部材５０を弾性変形させて、ＬＥＤモジュール取付部２１にＬＥＤモジュール３を取付可能である。
【００６６】
この実施の形態によれば、取付部品２へのＬＥＤモジュール３の取付構造が容易であり、部品点数が少ない照明器具１が提供可能である。
【００６７】
（実施の形態４）
本発明の実施の形態４に係る照明器具１においては、実施の形態２と同様に、取付部品２が第１保持部材６０および第２保持部材７０を備え、ＬＥＤモジュール３が第１係止部材４０および第２係止部材５０を備える。ただし実施の形態４に係る照明器具１が備える第１係止部材４０および第２係止部材５０の形状は、実施の形態３に係る第１係止部材４０および第２係止部材５０の形状と同じである。以下に、照明器具１の組立方法について説明する。
【００６８】
図２０および図２１は、本発明の実施の形態４に係る照明器具の組立方法を示す断面図である。図２０（Ａ）に示す状態から、第１係止部材４０の先端部４３を第１保持部材６０の第１挿入孔６１および第３挿入孔７４に挿入する。実施の形態２においては、第１係止部材４０を第２保持部材７０側から第１挿入孔６１に挿入したが、実施の形態４においては、逆の方向、すなわち第１保持部材６０から第２保持部材７０に向かう方向に、第１係止部材４０を第１挿入孔６１に挿入する。先端部４３は屈曲しているため、図２０（Ｂ）に示すように、第１係止部材４０が第１保持部材６０に先端部４３で係止し、ＬＥＤモ
ジュール３は、取付部品２にぶら下がった状態となる。この状態で、ＬＥＤモジュール３の落下が防止される。
【００６９】
次いで、図２０（Ｃ）に示すように、ＬＥＤモジュール３をＬＥＤモジュール取付部２１側に持ち上げ、第１係止部材４０の第１屈曲部４１を第１挿入孔６１に挿入する。図２０（Ｃ）に示すように第１係止部材４０の一部は第１保持部材６０と当接し、第１保持部材６０から押圧され、弾性変形する。
【００７０】
さらに、ＬＥＤモジュール３を持ち上げ、図２１（Ａ）に示すように、第２係止部材５０の第２屈曲部５１を第２挿入孔７１に挿入する。図２１（Ａ）に示すように第２係止部材５０の一部は第２保持部材７０と当接し、第２保持部材７０から押圧され、弾性変形する。
【００７１】
さらに、ＬＥＤモジュール３を持ち上げると、第１係止部材４０および第２係止部材５０はそれぞれ、弾性変形した状態から解放され、図２１（Ｂ）に示すように、第１係止部材４０は第１挿入孔６１と係合し、第２係止部材５０は第２挿入孔７１と係合する。以上により、照明器具１の組立が完了する。
【００７２】
以上のように、本実施の形態に係る照明器具１においては、第１挿入孔６１が形成された第１保持部材６０および第２挿入孔７１が形成された第２保持部材７０が取付部品２に、第１係止部材４０および第２係止部材５０がＬＥＤモジュール３に、それぞれ設けられている。この照明器具１によれば、第１係止部材４０および第２係止部材５０を弾性変形させて、ＬＥＤモジュール取付部２１にＬＥＤモジュール３を取付可能である。
【００７３】
この実施の形態によれば、取付部品２へのＬＥＤモジュール３の取付構造が容易であり、部品点数が少ない照明器具１が提供可能である。例えば、第１係止部材４０および第２係止部材５０は、１つの板状部材が折り曲げられて成形されているので、照明器具１は部品点数が少ない。
【００７４】
以上、本発明の実施の形態について説明したが、本発明の実施の形態に係る照明器具１は様々な変形が可能である。
【００７５】
上記の実施の形態では、第１屈曲部４１および第２屈曲部５１は円弧状に屈曲していたが、第１屈曲部４１および第２屈曲部５１の形状はこれに限られない。第１屈曲部４１および第２屈曲部５１がそれぞれ、第１挿入孔６１および第２挿入孔７１に係合可能な形状であればよい。例えば第１係止部材４０は、ＬＥＤモジュール取付部２１の底面から本体背面３１Ａに向かって延び、第１屈曲部４１において、第２係止部材５０とは反対側に略直角に屈曲した後、ＬＥＤモジュール取付部２１の底面に向かって略直角に屈曲し、再び第２係止部材５０とは反対側に略直角に屈曲し、さらに本体背面３１Ａに向かって略直角
に屈曲し、本体背面３１Ａに向かって延びるようにしてもよい。
【００７６】
また第１係止部材４０の先端部４３の形状も、上記の実施の形態に限られず、第１挿入孔６１に係止可能な形状であればよい。例えば先端部４３の先端部分は他の部分より幅広であり、第１挿入孔６１の上部開口部と比べて幅が狭い下部開口部に先端部４３が係止するようにしてもよい。また先端部４３に突起を設けて第１挿入孔６１に係止するような形状としてもよい。
【００７７】
上記の実施の形態では、第１係止部材４０および第２係止部材５０が係止連結部４５を介して連続するように、一体成形されている形態を説明したが、係止連結部４５は必須の構成要素ではない。例えば、第１係止部材４０および第２係止部材５０のそれぞれを、取付部品２またはＬＥＤモジュール３に設けることができる。また第１係止部材４０および第２係止部材５０の幅は異なってもよい。上述の実施の形態では、第１保持部材６０および第２保持部材７０が保持連結部６５を介して連続するように、一体成形されている形態を説明したが、保持連結部６５は必須の構成要素ではない。例えば、第１保持部材６０お
よび第２保持部材７０のそれぞれを、取付部品２またはＬＥＤモジュール３に設けることができる。また第１係止部材４０が第１挿入孔６１に係合し、第２係止部材５０が第２挿入孔７１に係合することが可能であれば、第１挿入孔６１の幅および第２挿入孔７１の幅は異なってもよい。
【００７８】
上記の実施の形態では、第１係止部材４０および第２係止部材５０が共に押圧により弾性変形する形態を説明したが、第１係止部材４０および第２係止部材５０の少なくとも一方が弾性変形すればよい。
【００７９】
上記の実施の形態では、取付部品２が直方体形状に形成されていたが、取付部品２の形状は直方体形状に限定されない。例えば、取付部品２は断面略台形形状であってもよい。また、ＬＥＤモジュール３の形状も上記の実施の形態の形状に限定されない。例えば、正面正方形状や正面円形状のＬＥＤモジュール３であってもよい。
【００８０】
上記の実施形態の一部又は全部は、以下の付記のようにも記載されうるが、以下には限られない。
【００８１】
（付記１）
光源を正面側に支持する本体を有する光源部品と、
前記本体を収容可能な取付部品と、
を備え、
前記本体の背面および前記本体の背面に対向する面である前記取付部品の光源部品側の面のいずれか一方に第１保持部材および第２保持部材が設けられ、他方に前記第１保持部材と対向する第１係止部材および前記第２保持部材と対向する第２係止部材が設けられ、
前記第１係止部材および前記第２係止部材の少なくとも一方は、前記第１係止部材と前記第２係止部材が対向する方向からの押圧により弾性変形し、
前記第１係止部材は、前記第１係止部材が設けられる面の向きから前記第１保持部材が設けられる面に向かって屈曲する第１屈曲部、前記第１屈曲部に連続し前記第１保持部材が設けられる面に向かって延びる中間部、および、先端に形成された前記第１保持部材に係止する形状を有する先端部を有し、
前記第２係止部材は、前記第２係止部材が設けられる面の向きから前記第１屈曲部とは反対向きに突出して前記第２保持部材が設けられる面に向かって屈曲する第２屈曲部を有し、
前記第１保持部材には、前記第１係止部材の一部が挿入可能であって、前記第１屈曲部と係合し、前記中間部に連続する前記第１係止部材の先端部が係止する、第１挿入孔が形成され、
前記第２保持部材には、前記第２係止部材の一部が挿入可能であって、前記第２屈曲部と係合する、第２挿入孔が形成される、
ことを特徴とする照明器具。
【００８２】
（付記２）
前記先端部は、前記中間部から前記第１屈曲部の突出する側に湾曲し、前記第１係止部材が設けられる面に向かって屈曲することを特徴とする付記１に記載の照明器具。
【００８３】
（付記３）
前記第１保持部材および前記第２保持部材は前記本体の背面に設けられ、
前記第１係止部材および前記第２係止部材は前記取付部品の光源部品側の面に設けられる、
ことを特徴とする付記１または２に記載の照明器具。
【００８４】
（付記４）
前記第１屈曲部は前記第２係止部材とは反対側に突出し、
前記第２屈曲部は前記第１係止部材とは反対側に突出する、
ことを特徴とする付記１ないし３のいずれかに記載の照明器具。
【００８５】
（付記５）
前記光源部品および前記取付部品はそれぞれ、前記第１保持部材および前記第２保持部材または前記第１係止部材および前記第２係止部材を２組備え、
前記光源部品または前記取付部品の長手方向の中心から前記第１保持部材および前記第２保持部材または前記第１係止部材および前記第２係止部材の一方の組への距離と、該中心から前記第１保持部材および前記第２保持部材または前記第１係止部材および前記第２係止部材の他方の組への距離とが異なる、
ことを特徴とする付記１ないし４のいずれかに記載の照明器具。
【００８６】
（付記６）
前記第１係止部材および前記第２係止部材は、１つの板状部材が折り曲げられて成形されることを特徴とする付記１ないし５のいずれかに記載の照明器具。
【００８７】
（付記７）
前記第１保持部材および前記第２保持部材は、１つの板状部材が折り曲げられて成形されており、該板状部材の内、前記第１保持部材および前記第２保持部材を連結する連結保持部材において、前記第１係止部材の先端部が係止する孔が設けられることを特徴とする付記１ないし６のいずれかに記載の照明器具。
【００８８】
（付記８）
付記１ないし７のいずれかに記載の照明器具の取付部品に取付可能な光源部品であって、
光源を正面に支持する本体と、
前記本体の背面に、
前記本体の背面の向きから前記本体の背面に対向する面である前記取付部品の光源部品側の面に向かって屈曲する第１屈曲部、前記第１屈曲部に連続し前記取付部品の光源部品側の面に向かって延びる中間部、および、先端に形成され、対向する第１保持部材に係止する形状を有する先端部を有する第１係止部材、および、前記本体の背面の向きから前記第１屈曲部とは反対向きに突出して前記取付部品の光源部品側の面に向かって屈曲する第２屈曲部を有する第２係止部材を備え、
前記第１係止部材および前記第２係止部材の少なくとも一方は、前記第１係止部材と前記第２係止部材が対向する方向からの押圧により弾性変形する、
あるいは、
前記第１係止部材の一部が挿入可能であって、前記第１屈曲部と係合し、前記中間部に連続する前記第１係止部材の先端部が係止する、第１挿入孔が形成される前記第１保持部材、および、前記第２係止部材の一部が挿入可能であって、前記第２屈曲部と係合する、第２挿入孔が形成される第２保持部材を備える、
ことを特徴とする光源部品。
【００８９】
（付記９）
付記１ないし７のいずれかに記載の照明器具の光源部品が取付可能な取付部品であって、
光源を正面に支持する光源部品の本体の背面に対向する面である光源部品側の面に、
前記光源部品側の面の向きから前記本体の背面に向かって屈曲する第１屈曲部、前記第１屈曲部に連続し前記本体の背面に向かって延びる中間部、および、先端に形成され、対向する第１保持部材に係止する形状を有する先端部を有する第１係止部材、および、前記光源部品側の面の向きから前記第１屈曲部とは反対向きに突出して前記本体の背面に向かって屈曲する第２屈曲部を有する第２係止部材を備え、
前記第１係止部材および前記第２係止部材の少なくとも一方は、前記第１係止部材と前記第２係止部材が対向する方向からの押圧により弾性変形する、
あるいは、
前記第１係止部材の一部が挿入可能であって、前記第１屈曲部と係合し、前記中間部に連続する前記第１係止部材の先端部が係止する、第１挿入孔が形成される前記第１保持部材、および、前記第２係止部材の一部が挿入可能であって、前記第２屈曲部と係合する、第２挿入孔が形成される第２保持部材を備える、
ことを特徴とする取付部品。
【符号の説明】
【００９０】
１    照明器具
２    取付部品
３    ＬＥＤモジュール
９    天井
２１    ＬＥＤモジュール取付部
２７    器具取付具（ボルト、ナット）
２８    反射板
２９    ベース部
３１    本体
３１Ａ  本体背面
３１Ｂ  本体正面
３５    ＬＥＤ
３６    電源回路
３７    モジュールカバー
４０    第１係止部材
４１    第１屈曲部
４２    中間部
４３    先端部
４５    係止連結部
４６    留め具
５０    第２係止部材
５１    第２屈曲部
６０    第１保持部材
６１    第１挿入孔
６２    先端係止部
６３    留め具
６５    保持連結部（連結保持部材）
７０    第２保持部材
７１    第２挿入孔
７２    先端係止部
７３    留め具
７４    第３挿入孔
７５    第４挿入孔
３５１    基板
【図１】
2019175878.tif 000003
【図２】
2019175878.tif 000004
【図３】
2019175878.tif 000005
【図４】
2019175878.tif 000006
【図５】
2019175878.tif 000007
【図６】
2019175878.tif 000008
【図７】
2019175878.tif 000009
【図８】
2019175878.tif 000010
【図９】
2019175878.tif 000011
【図１０】
2019175878.tif 000012
【図１１】
2019175878.tif 000013
【図１２】
2019175878.tif 000014
【図１３】
2019175878.tif 000015
【図１４】
2019175878.tif 000016
【図１５】
2019175878.tif 000017
【図１６】
2019175878.tif 000018
【図１７】
2019175878.tif 000019
【図１８】
2019175878.tif 000020
【図１９】
2019175878.tif 000021
【図２０】
2019175878.tif 000022
【図２１】
2019175878.tif 000023